(57)【要約】【課題】剛性の確保及び小型化を図りつつ、相手側コネクタに対する挿抜力の向上を図る。【解決手段】プラグコネクタ１００は、グランドコンタクト導体１１０と、絶縁ハウジング１２０と、信号コンタクト導体１３０とを備える。グランドコンタクト導体１１０は、その延在方向に延びるスリットＳＬが設けられた筒状の本体部１１１と、本体部１１１のうちスリットＳＬをなす各端縁から本体部１１１の径方向外方に向けて突出する一対のアーム部１１３と、一対のアーム部１１３を外側から締め付ける固定部１１６とを有する。固定部１１６には、アーム部１１３に向けて突出し且つその突出した方向において固定部１１６の中央に位置する突起１１９Ａが設けられている。固定部１１６によってアーム部１１３が締め付けられている状態で、突起１１９Ａはアーム部１１３に当接しており、突起１１９Ａの存在によりアーム部１１３と固定部１１６とは離間している。【選択図】図２
2018041650.tif 000002
【特許請求の範囲】
【請求項１】
配線基板に実装された相手方コネクタと嵌合可能に構成される電気コネクタであって、
同軸ケーブルの内部導体が接続される導電性の信号コンタクト導体と、
前記同軸ケーブルの外部導体が接続される導電性のグランドコンタクト導体と、
前記信号コンタクト導体と前記グランドコンタクト導体との間を絶縁する絶縁ハウジングとを備え、
前記グランドコンタクト導体は、
その延在方向に延びるスリットが設けられた筒状の本体部と、
前記本体部のうち前記スリットをなす各端縁から前記本体部の径方向外方に向けて突出する一対のアーム部と、
前記一対のアーム部を外側から締め付ける固定部とを有し、
前記一対のアーム部及び前記固定部の少なくとも一方には、他方に向けて突出する突起が設けられており、
前記突起は、前記一対のアーム部が突出した方向において、前記固定部の前記本体部寄りの端縁から離れる側に位置しており、
前記固定部によって前記一対のアーム部が締め付けられている状態で、前記一対のアーム部及び前記固定部の少なくとも一方に設けられている前記突起は他方に当接しており、前記突起の存在により前記一対のアーム部と前記固定部とは離間している、電気コネクタ。
【請求項２】
前記一対のアーム部及び前記固定部の少なくとも一方に設けられている前記突起は、前記一対のアーム部が突出した方向において、前記固定部の中央から離れる側に位置している、請求項１に記載の電気コネクタ。
【請求項３】
前記絶縁ハウジングは、
内部に前記信号コンタクト導体を保持する筒状の絶縁本体部と、
前記絶縁本体部の外周面から前記絶縁本体部の径方向外方に向けて突出する突出部とを有し、
前記突出部は、前記一対のアーム部の間に位置し且つ前記一対のアーム部と当接している、請求項１又は２に記載の電気コネクタ。
【請求項４】
前記グランドコンタクト導体は、前記本体部のうち前記配線基板とは離れた側の端縁から延びる蓋部を更に含み、
前記固定部は、前記蓋部に設けられており、前記一対のアーム部のうち前記配線基板に面する端縁に至るまで巻き付いている、請求項１〜３のいずれか一項に記載の電気コネクタ。
【発明の詳細な説明】
【技術分野】
【０００１】
本開示は、電気コネクタに関する。
【背景技術】
【０００２】
一般に、携帯電話等の小型端末の内部には、配線基板間で高周波信号を伝送するために、多数の同軸ケーブルが配線されている。同軸ケーブルの先端にはプラグコネクタが設けられている。配線基板には、リセプタクルコネクタが実装されている。これらのプラグコネクタとリセプタクルコネクタとが嵌合することで、同軸ケーブルと配線基板とが電気的に接続される。
【０００３】
特許文献１は、プラグコネクタの一例を開示している。特許文献１のプラグコネクタは、導電性の信号コンタクト導体と、導電性のグランドコンタクト導体と、絶縁材料で構成された絶縁ハウジングとを備える。信号コンタクト導体には、同軸ケーブルの内部導体が接続される。グランドコンタクト導体には、同軸ケーブルの外部導体が接続される。絶縁ハウジングは、信号コンタクト導体とグランドコンタクト導体との間を絶縁する。絶縁ハウジングは、円筒状を呈すると共に信号コンタクト導体を内部に保持する絶縁本体部と、絶縁本体部の外周面から絶縁本体部の径方向外方に向けて突出する突出部とを有する。
【０００４】
グランドコンタクト導体は、絶縁ハウジングの絶縁本体部を収納可能な筒状の本体部と、本体部の周縁から本体部の径方向外方に向けて突出する一対のアーム部と、本体部の筒軸方向において本体部の縁から一体的に延びる蓋部と、蓋部から延びる板状の一対の固定部とを有する。一対のアーム部の間には、絶縁ハウジングの突出部が位置している。一対の固定部は、一対のアーム部を突出部も含めて外側から締め付けて、蓋部を一対のアーム部に固定する機能を有する。一対の固定部が一対のアーム部を締め付ける際には、一対の固定部は、略全体が一対のアーム部に当接する。
【先行技術文献】
【特許文献】
【０００５】
【特許文献１】特開２０１３−２２２６８５号公報
【発明の概要】
【発明が解決しようとする課題】
【０００６】
ところで、プラグコネクタがリセプタクルコネクタと嵌合する際、プラグコネクタのグランドコンタクト導体の本体部がリセプタクルコネクタのグランドコンタクト導体によって拡径される。このとき、本体部の拡径に伴い、本体部から延びる一対のアーム部も突出部から離れるように変形する。しかしながら、一対の固定部が本体部寄りに位置するほど、一対のアーム部の屈曲可能部分が短くなるので、本体部が十分に拡径し難くなってしまう。
【０００７】
プラグコネクタとリセプタクルコネクタとの間で適度な挿抜力を確保するために、一対の固定部を本体部から離して、一対のアーム部の屈曲可能部分を長くすることも考えられる。しかしながら、この場合、プラグコネクタのサイズが全体的に大きくなってしまいうる。一方、一対の固定部の位置は変更せず、一対の固定部の幅（アーム部の延在方向における固定部の幅）を小さくすることにより、プラグコネクタのサイズを維持しつつ、一対のアーム部の屈曲可能部分を長くすることも考えられる。しかしながら、一対の固定部の幅が小さくなると、一対の固定部の剛性（一対の固定部の一対のアーム部に対する固定強度）が低下してしまう。そのため、蓋部を把持してプラグコネクタをリセプタクルコネクタから抜去する際に、一対の固定部の一対のアーム部に対する固定が解除されてしまいうる。
【０００８】
そこで、本開示は、剛性の確保及び小型化を図りつつ、相手側コネクタに対する挿抜力の向上を図ることが可能な電気コネクタを説明する。
【課題を解決するための手段】
【０００９】
［１］本開示の一つの観点に係る電気コネクタは、配線基板に実装された相手方コネクタと嵌合可能に構成される電気コネクタであって、同軸ケーブルの内部導体が接続される導電性の信号コンタクト導体と、同軸ケーブルの外部導体が接続される導電性のグランドコンタクト導体と、信号コンタクト導体とグランドコンタクト導体との間を絶縁する絶縁ハウジングとを備える。グランドコンタクト導体は、その延在方向に延びるスリットが設けられた筒状の本体部と、本体部のうちスリットをなす各端縁から本体部の径方向外方に向けて突出する一対のアーム部と、一対のアーム部を外側から締め付ける固定部とを有する。一対のアーム部及び固定部の少なくとも一方には、他方に向けて突出する突起が設けられている。突起は、一対のアーム部が突出した方向において、固定部の本体部寄りの端縁から離れる側に位置している。固定部によって一対のアーム部が締め付けられている状態で、一対のアーム部及び固定部の少なくとも一方に設けられている突起は他方に当接しており、突起の存在により一対のアーム部と固定部とは離間している。
【００１０】
本開示の一つの観点に係る電気コネクタでは、一対のアーム部及び固定部の少なくとも一方に突起が設けられており、突起は他方に向けて突出している。固定部によって一対のアーム部が締め付けられている状態で、一対のアーム部及び固定部の少なくとも一方に設けられている突起は他方に当接しており、突起の存在により一対のアーム部と固定部とは離間している。そのため、固定部によって一対のアーム部が締め付けられている状態で本体部が拡径すると、一対のアーム部のうち突起の位置よりもグランドコンタクト導体の本体部寄りの部分が屈曲する。また、本開示の一つの観点に係る電気コネクタでは、突起は、一対のアーム部が突出した方向において、固定部の本体部寄りの端縁から離れる側に位置している。そのため、特許文献１に記載のプラグコネクタと比較して、一対のアーム部のうち変形可能な部分が長くなる。従って、一対のアーム部が弾性体として機能しやすくなるので、固定部の幅を小さくしたり、プラグコネクタのサイズを大きくしたりせずとも、相手方コネクタに対する挿抜力が向上する。その結果、剛性の確保及び小型化を図りつつ、相手側コネクタに対する挿抜力の向上を図ることが可能となる。
【００１１】
［２］上記第１項に記載の電気コネクタにおいて、一対のアーム部及び固定部の少なくとも一方に設けられている突起は、一対のアーム部が突出した方向において、固定部の中央から離れる側に位置していてもよい。この場合、一対のアーム部のうち変形可能な部分がより長くなる。そのため、一対のアーム部がより弾性体として機能しやすくなる。従って、相手側コネクタに対する挿抜力のさらなる向上を図ることが可能となる。
【００１２】
［３］上記第１又は２項に記載の電気コネクタにおいて、絶縁ハウジングは、内部に信号コンタクト導体を保持する筒状の絶縁本体部と、絶縁本体部の外周面から絶縁本体部の径方向外方に向けて突出する突出部とを有し、突出部は、一対のアーム部の間に位置し且つ一対のアーム部と当接していてもよい。この場合、一対のアーム部が突出部によって裏打ちされた状態となる。そのため、固定部が絶縁ハウジングの突出部と共に一対のアーム部を締め付ける際に、固定部と一対のアーム部との間に位置する突起から、一対のアーム部に対して、力がより効果的に作用する。従って、本体部の拡径の際、一対のアーム部が突起に対してずれ難くなるので、プラグコネクタが相手方のコネクタに対して複数回挿抜された場合でも、十分な挿抜力を確保することが可能となる。
【００１３】
［４］上記第１〜３のいずれか一項に記載の電気コネクタにおいて、グランドコンタクト導体は、本体部のうち配線基板とは離れた側の端縁から延びる蓋部を更に含み、固定部は、蓋部に設けられており、一対のアーム部のうち配線基板に面する端縁に至るまで巻き付いていてもよい。この場合、固定部が、一対のアーム部を締め付ける機能に加えて、蓋部を一対のアーム部に対して固定する機能を併有することができる。
【発明の効果】
【００１４】
本開示に係る電気コネクタによれば、剛性の確保及び小型化を図りつつ、相手側コネクタに対する挿抜力の向上を図ることが可能となる。
【図面の簡単な説明】
【００１５】
【図１】図１は、コネクタ組立体を上側から示す斜視図である。
【図２】図２は、コネクタ組立体を下側から示す斜視図である。
【図３】図３は、コネクタ組立体を示す側面図である。
【図４】図４は、コネクタ組立体を示す底面図である。
【図５】図５は、図４のＶ−Ｖ線断面図である。
【図６】図６は、図３のＶＩ−ＶＩ線断面図である。
【図７】図７は、図３のＶＩＩ−ＶＩＩ線断面図である。
【図８】図８は、プラグコネクタの開放状態を示す斜視図である。
【図９】図９は、プラグコネクタの開放状態を示す上面図である。
【図１０】図１０は、プラグコネクタを示す分解斜視図である。
【図１１】図１１は、グランドコンタクト導体が変形した様子をコネクタ組立体の下側から示す斜視図である。
【図１２】図１２は、参考例に係るコネクタ組立体を図７と同様に切断したときの断面図である。
【図１３】図１３は、グランドコンタクト導体の他の例を開放状態で示す斜視図である。
【発明を実施するための形態】
【００１６】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００１７】
［コネクタ組立体］
コネクタ組立体１は、図１〜図８に示されるように、電気コネクタの一種であるプラグコネクタ１００が同軸ケーブル２００の先端部分に接続された組物である。プラグコネクタ１００は、グランドコンタクト導体１１０と、絶縁ハウジング１２０と、信号コンタクト導体１３０とを備える。プラグコネクタ１００は、携帯電話等の小型端末に内蔵される配線基板（図示せず）の主面に実装された相手方コネクタ（例えば、リセプタクルコネクタ）（図示せず）と嵌合及び抜去可能に構成されている。
【００１８】
配線基板の主面に対して略直交する方向において、プラグコネクタ１００がリセプタクルコネクタに近接すると、プラグコネクタ１００がリセプタクルコネクタと嵌合する。一方、配線基板の主面に対して略直交する方向において、プラグコネクタ１００がリセプタクルコネクタから離間すると、プラグコネクタ１００がリセプタクルコネクタから抜去される。本明細書では、プラグコネクタ１００をリセプタクルコネクタに嵌合する方向（差し込む方向）、すなわちプラグコネクタ１００が配線基板に近づく方向を「下方向」と称する。本明細書では、プラグコネクタ１００をリセプタクルコネクタから抜去する方向、すなわちプラグコネクタ１００が配線基板から遠ざかる方向を「上方向」と称する。
【００１９】
［同軸ケーブル］
同軸ケーブル２００は、例えば、携帯電話等の小型端末に内蔵される各種の配線基板間で高周波信号を伝送するために、当該小型端末内において用いられる配線である。同軸ケーブル２００は、図２、図５〜図８に示されるように、内部導体２０１と、絶縁体２０２と、外部導体２０３と、保護被膜２０４とを備える。
【００２０】
内部導体２０１は、線状に延びる金属線（例えば銅線）である。内部導体２０１は、１本の金属線で構成されていてもよいし、複数本の金属細線が撚られた編組線で構成されていてもよい。内部導体２０１は、高周波信号等の電気信号が流れる信号線として機能する。絶縁体２０２は、円筒形状を呈しており、絶縁材料（例えば、ポリエチレン等）で構成されている。絶縁体２０２の筒内には内部導体２０１が挿通されている。そのため、絶縁体２０２は、内部導体２０１の周面を被覆している。
【００２１】
外部導体２０３は、円筒形状を呈しており、複数本の金属細線（例えば銅細線）が撚られた編組線（網状又はスパイラル状）で構成されている。外部導体２０３の筒内には絶縁体２０２が挿通されている。そのため、外部導体２０３は、絶縁体２０２の外周面を被覆しており、絶縁体２０２によって内部導体２０１とは絶縁されている。外部導体２０３は、グランド（ＧＮＤ）として機能する。保護被膜２０４は、円筒形状を呈しており、絶縁材料（例えば、ポリエチレン、ポリ塩化ビニル等）で構成されている。保護被膜２０４の筒内には外部導体２０３が挿通されている。そのため、保護被膜２０４は、外部導体２０３の外周面を被覆しており、外部導体２０３が他の導電体と導通することを防止している。
【００２２】
同軸ケーブル２００がプラグコネクタ１００と接続される際には、同軸ケーブル２００の加工が行われる。具体的には、図５、図７及び図８に示されるように、同軸ケーブル２００の先端側に向かうにつれて、外部導体２０３、絶縁体２０２及び内部導体２０１がこの順に段状に露出される。
【００２３】
［グランドコンタクト導体］
グランドコンタクト導体１１０は、プレス加工された金属薄板で構成されている。そのため、グランドコンタクト導体１１０は導電性を有する。グランドコンタクト導体１１０は、本体部１１１と、蓋部１１２とを有する。
【００２４】
本体部１１１は、筒状体である。本体部１１１の周面には、本体部１１１の延在方向（筒軸方向）に延びるスリットＳＬが形成されている（図２、図４及び図７〜図１０参照）。すなわち、本体部１１１は、筒軸方向から見て円弧形状を呈する。本体部１１１は、リセプタクルコネクタの外側を覆うようにリセプタクルコネクタと嵌合可能である。なお、本体部１１１は、リセプタクルコネクタによって外側から覆われるようにリセプタクルコネクタと嵌合可能であってもよい。本体部１１１がリセプタクルコネクタと嵌合する際には、本体部１１１のうち配線基板と対向する側の端縁である下端縁１１１ａが弾性的に変形する。
【００２５】
本体部１１１のうちスリットＳＬをなす各端縁にはそれぞれ、図２〜図４及び図７〜図１０に示されるように、アーム部１１３が一体的に設けられている。各アーム部１１３は、互いに平行に延びるように、本体部１１１のうちスリットＳＬをなす各端縁から本体部１１１の径方向外側に向けて突出している。本体部１１１の上端縁１１１ｂ（本体部１１１のうち後述する連結部１１４が位置する側の端縁）には、図７〜図１０に示されるように、凹形状を呈する一対の切り欠き部１１１ｃが設けられている。
【００２６】
蓋部１１２は、図１〜図５に示されるように、シェル部１１５と、一対の固定部１１６〜１１８とを有する。シェル部１１５は、図１、図３、図５、図８及び図１０に示されるように、連結部１１４を介して本体部１１１と連結されている。そのため、シェル部１１５（蓋部１１２）は、連結部１１４が屈曲することで、連結部１１４を起点として揺動し、本体部１１１に対して近接及び離間可能である。
【００２７】
同軸ケーブル２００をプラグコネクタ１００に取り付ける前は、連結部１１４は屈曲しておらず、図８〜図１０に示されるように、蓋部１１２は本体部１１１に対して起立した状態（蓋部１１２が本体部１１１から離間した起立状態）である。一方、蓋部１１２が連結部１１４を介して折り曲げられると、連結部１１４が屈曲して、図１〜図６に示されるように、蓋部１１２が本体部１１１に対して対向した状態（蓋部１１２が本体部１１１に近接した伏臥状態）となる。蓋部１１２の伏臥状態において、図２〜図６に示されるように、シェル部１１５は、本体部１１１及び各アーム部１１３を覆う。
【００２８】
一対の固定部１１６〜１１８は、略矩形状を呈する板状体である。一対の固定部１１６〜１１８は、シェル部１１５のうち連結部１１４側から先端側に向かう方向においてこの順に並んでいる。一対の固定部１１６〜１１８はそれぞれ、片持ち状の板部材である。図８〜図１０に示されるように、プラグコネクタ１００の組み立て前において、一対の固定部１１６〜１１８はそれぞれ、シェル部１１５の両側縁から側方に延びつつシェル部１１５に対して起立しており、略Ｌ字形状を呈している。
【００２９】
ここで、固定部１１６は、シェル部１１５から一体的に延びる基端部１１６ａと、基端部１１６ａから一体的に延びる先端部１１６ｂとを含む。図２〜図４、図６及び図７に示されるように、固定部１１６がアーム部１１３に固定されている固定状態（固定部１１６によってアーム部１１３が締め付けられている状態）（以下、単に「固定状態」という。）において、基端部１１６ａはアーム部１１３の側面と対向している。一方、図２、図４及び図６に示されるように、固定状態において、先端部１１６ｂは、基端部１１６ａから内側に向けて屈曲して、アーム部１１３のうち配線基板に面する端縁及び絶縁ハウジング１２０の突出部１２２（詳しくは後述する）に至るまで巻き付いている。
【００３０】
図１〜図３及び図６〜図１０に示されるように、基端部１１６ａには、当接部１１９が設けられている。当接部１１９は、基端部１１６ａのうち本体部１１１寄りの端縁には位置していない。換言すれば、当接部１１９は、一対のアーム部１１３が突出した方向において、基端部１１６ａのうち本体部１１１寄りの端縁から離れる側に位置している。従って、当接部１１９は、基端部１１６ａの当該端縁よりも本体部１１１から離れる側において（基端部１１６ａの当該端縁よりもアーム部１１３の先端側において）、アーム部１１３の側面と当接している。
【００３１】
当接部１１９は、基端部１１６ａのうちその幅方向における中央に位置していてもよい。あるいは、当接部１１９は、基端部１１６ａのうち当該中央よりもシェル部１１５の先端寄り（固定部１１７，１１８寄り）に位置していてもよい。換言すれば、固定状態において、当接部１１９は、一対のアーム部１１３が突出した方向（延在した方向）において、固定部１１６の中央から離れる側に位置していてもよい。当接部１１９は、例えば、基端部１１６ａをプレス加工することにより形成されていてもよい。
【００３２】
当接部１１９は、突起１１９Ａと、窪み１１９Ｂとで構成されている。突起１１９Ａは、図２及び図６〜図１０に示されるように、固定状態において、基端部１１６ａの内側面からアーム部１１３の外側面に向けて突出している。突起１１９Ａは、固定状態において、アーム部１１３の外側面に当接する。そのため、基端部１１６ａの内側面のうち突起１１９Ａ以外の領域は、通常、アーム部１１３の外側面と離間している。突起１１９Ａの高さ（基端部１１６ａの内側面からの突出長さ）は、プラグコネクタ１００のサイズ等によって種々の大きさに設定しうる。プラグコネクタ１００とリセプタクルコネクタとの嵌合後の高さが１ｍｍ以下の小型のプラグコネクタ１００の場合には、突起１１９Ａの高さは、例えば、０．０２ｍｍ〜０．０３ｍｍ程度であってもよい。窪み１１９Ｂは、図１〜図３、図６、図８及び図１０に示されるように、基端部１１６ａの外側面のうち突起１１９Ａと対応する位置で窪んでいる。
【００３３】
［絶縁ハウジング］
絶縁ハウジング１２０は、図２及び図４〜図１０に示されるように、信号コンタクト導体１３０を内部に保持すると共にグランドコンタクト導体１１０と信号コンタクト導体１３０との間を絶縁するための絶縁体である。絶縁ハウジング１２０は、例えば、樹脂材料を射出成形することによって形成されうる。絶縁ハウジング１２０は、図４〜図８に示されるように、絶縁本体部１２１と、突出部１２２と、押圧部１２３とを有する。
【００３４】
絶縁本体部１２１は、筒形状を呈しており、内部に信号コンタクト導体１３０を保持可能である。絶縁本体部１２１の外径は、グランドコンタクト導体１１０の本体部１１１の内径よりも小さく設定されている。そのため、絶縁本体部１２１は本体部１１１内に収容可能に構成されており、絶縁本体部１２１の外周面は本体部１１１によって覆われる。
【００３５】
絶縁本体部１２１の外周面には、図７〜図１０に示されるように、一対の係合片１２４が一体的に設けられている。一対の係合片１２４は、絶縁本体部１２１の延在方向（筒軸方向）における絶縁本体部１２１の上端縁（絶縁本体部１２１のうち配線基板とは反対側の端縁）に位置している。一対の係合片１２４は、絶縁本体部１２１の外周面から径方向外方に向けて突出している。一対の係合片１２４が本体部１１１の切り欠き部１１１ｃと係合することで、絶縁本体部１２１が本体部１１１に対して引っ掛けられる。これにより、絶縁本体部１２１は、本体部１１１内に保持される。
【００３６】
突出部１２２は、図２、図４、図５、図７〜図１０に示されるように、絶縁本体部１２１の外周面から径方向外方に向けて突出するように、絶縁本体部１２１に一体的に設けられている。突出部１２２は、全体として直方体形状を呈しており、一対のアーム部１１３の間に配置されている。そのため、突出部１２２のうち一対の外側面は、一対のアーム部１１３の各内面とそれぞれ当接している。
【００３７】
突出部１２２の上面（突出部１２２のうち配線基板とは反対側の面）には、図５〜図１０に示されるように、凹溝１２５が形成されている。凹溝１２５は、突出部１２２の延在方向に直線状に延びており、絶縁本体部１２１の内部と連通している。凹溝１２５の内部は、絶縁本体部１２１から突出部１２２の先端に向かうにつれて、階段状に大きくなっている。凹溝１２５のうち絶縁本体部１２１寄りの部分は、同軸ケーブル２００の内部導体２０１と同程度の大きさであり、内部導体２０１を保持している。凹溝１２５のうち突出部１２２の先端寄りの部分は、同軸ケーブル２００の絶縁体２０２及び外部導体２０３と同程度の大きさであり、絶縁体２０２及び外部導体２０３を保持している。そのため、突出部１２２は、同軸ケーブル２００の内部導体２０１、絶縁体２０２及び外部導体２０３を支持可能に構成されている。
【００３８】
押圧部１２３は、図５及び図７〜図１０に示されるように、連結部１２６を介して絶縁本体部１２１に一体的に設けられている。そのため、押圧部１２３は、連結部１２６が屈曲することで、連結部１２６を起点として揺動し、絶縁本体部１２１に対して近接及び離間可能である。同軸ケーブル２００をプラグコネクタ１００に取り付ける前は、図８及び図９に示されるように、押圧部１２３は絶縁本体部１２１及び突出部１２２に対して起立した状態（押圧部１２３が絶縁本体部１２１及び突出部１２２から離間した起立状態）である。一方、押圧部１２３が連結部１２６を介して折り曲げられると、連結部１２６が屈曲して、図５に示されるように、押圧部１２３が絶縁本体部１２１及び突出部１２２に対して対向した状態（押圧部１２３が絶縁本体部１２１及び突出部１２２に近接した伏臥状態）となる。押圧部１２３の伏臥状態において、押圧部１２３は、シェル部１１５のうち連結部１１４寄りの部分によって覆われ、絶縁本体部１２１及び突出部１２２のうち絶縁本体部１２１寄りの部分と対向する。
【００３９】
［信号コンタクト導体］
信号コンタクト導体１３０は、プレス加工された金属薄板で構成されている。そのため、信号コンタクト導体１３０は導電性を有する。信号コンタクト導体１３０は、図５及び図９に示されるように、ベース片１３１と、挟持片１３２と、一対の接続片１３３とを有する。
【００４０】
ベース片１３１は、矩形状を呈する板状体である。挟持片１３２は、片持ち状の板部材である。挟持片１３２は、ベース片１３１の端縁に一体的に設けられている。挟持片１３２は、ベース片１３１の上方に位置している。挟持片１３２は、ベース片１３１に近づく側に凸となるように屈曲された屈曲部を有している。
【００４１】
一対の接続片１３３はそれぞれ、ベース片１３１の各側縁に一体的に設けられており、ベース片１３１の下方に向けて突出している。一対の接続片１３３は、略Ｌ字形状を呈する片持ち状の板部材である。一対の接続片１３３は、リセプタクルコネクタの信号コンタクト導体と嵌着可能に構成されている。一対の接続片１３３がリセプタクルコネクタの導体コンタクトと嵌着する際には、一対の接続片１３３が当該導体コンタクトによって押し広げられ、当該導体コンタクトと弾性的に嵌着する。
【００４２】
［組み立て方法］
続いて、グランドコンタクト導体１１０、絶縁ハウジング１２０及び信号コンタクト導体１３０を組み立てて、同軸ケーブル２００の先端部にプラグコネクタ１００を取り付ける方法について説明する。
【００４３】
まず、同軸ケーブル２００を加工する。具体的には、同軸ケーブル２００の先端側に向かうにつれて、外部導体２０３、絶縁体２０２及び内部導体２０１がこの順に段状に露出するように、絶縁体２０２、外部導体２０３及び保護被膜２０４を除去する。
【００４４】
次に、図８〜図１０に示されるように、蓋部１１２が起立状態にあるグランドコンタクト導体１１０の本体部１１１内に、押圧部１２３が起立状態にある絶縁ハウジング１２０を配置する。このとき、絶縁ハウジング１２０の突出部１２２が一対のアーム部１１３間に位置し、絶縁ハウジング１２０の一対の係合片１２４がそれぞれ本体部１１１の一対の切り欠き部１１１ｃと係合するように、絶縁ハウジング１２０がグランドコンタクト導体１１０に対して組み立てられる。
【００４５】
次に、図８〜図１０に示されるように、信号コンタクト導体１３０を絶縁ハウジング１２０の絶縁本体部１２１に載置する。このとき、信号コンタクト導体１３０は、接続片１３３が絶縁本体部１２１内に挿通された状態で、絶縁本体部１２１に支持される。
【００４６】
次に、加工後の同軸ケーブル２００の内部導体２０１をベース片１３１上に配置する（図５〜図９参照）。このとき、内部導体２０１のうち絶縁体２０２寄りの部分は凹溝１２５のうち絶縁本体部１２１寄りの部分内に収容され、内部導体２０１のうち絶縁体２０２から離れた部分はベース片１３１上に重なる。同軸ケーブル２００の絶縁体２０２と、同軸ケーブル２００の外部導体２０３の先端の部分とは、凹溝１２５のうち突出部１２２の先端寄りの部分内に収容される。
【００４７】
この状態で、蓋部１１２を伏臥状態まで本体部１１１に向けて押し倒す。このとき、絶縁ハウジング１２０の押圧部１２３も蓋部１１２によって押され、押圧部１２３が伏臥状態となるまで絶縁本体部１２１に向けて押される。これにより、信号コンタクト導体１３０の挟持片１３２が押圧部１２３によって押され、挟持片１３２がベース片１３１に近接する。このとき、挟持片１３２の凸状の屈曲部は、押圧部１２３と同軸ケーブル２００の内部導体２０１とによって挟圧されるので、挟持片１３２が全体として平坦状に変形する。従って、図５及び図７に示されるように、同軸ケーブル２００の内部導体２０１が、挟持片１３２とベース片１３１とで挟持される。その結果、信号コンタクト導体１３０と同軸ケーブル２００の内部導体２０１とが電気的且つ物理的に接続され、信号回路が構成される。
【００４８】
次に、一対の固定部１１６が一対のアーム部１１３を外側から覆うと共にアーム部１１３のうち配線基板側の端縁及び突出部１２２のうち下面（配線基板と対向する側の面）に巻き付くように、一対の固定部１１６が一対のアーム部１１３に対して折り曲げられる。これにより、一対のアーム部１１３及び突出部１２２が一対の固定部１１６によって外側から締め付けられ、蓋部１１２が一対のアーム部１１３及び突出部１２２に固定される。このとき、一対の固定部１１６の突起１１９Ａは一対のアーム部１１３に当接しており、一対のアーム部１１３は突出部１２２に当接している。そのため、突起１１９Ａは、これらを押圧している。一方、突起１１９Ａの存在により、基端部１１６ａとアーム部１１３とは離間している。
【００４９】
次に、一対の固定部１１７が同軸ケーブル２００の外部導体２０３の一部（保護被膜２０４寄りの部分）を覆うように、一対の固定部１１７が折り曲げられる。これにより、外部導体２０３が一対の固定部１１７によって外側から締め付けられ、一対の固定部１１７が外部導体２０３に固定される。すなわち、グランドコンタクト導体１１０と同軸ケーブル２００の外部導体２０３とが電気的且つ物理的に接続され、グランド回路が構成される。
【００５０】
次に、一対の固定部１１８が同軸ケーブル２００の保護被膜２０４を覆うように、一対の固定部１１８が保護被膜２０４に対して折り曲げられる。これにより、保護被膜２０４が一対の固定部１１８によって外側から締め付けられ、一対の固定部１１８が保護被膜２０４に固定される。
【００５１】
以上により、同軸ケーブル２００が蓋部１１２によって保持され、同軸ケーブル２００にプラグコネクタ１００が取り付けられる。こうして、コネクタ組立体１が完成する。このとき、シェル部１１５は、同軸ケーブル２００のうち内部導体２０１から保護被膜２０４の先端に至るまでを覆う。その後、コネクタ組立体１のプラグコネクタ１００をリセプタクルコネクタに嵌合することで、同軸ケーブル２００の内部導体２０１が配線基板の信号回路に電気的に接続され、同軸ケーブル２００の外部導体２０３が配線基板のグランド回路に電気的に接続される。
【００５２】
［作用］
ところで、図１２に示されるように、特許文献１に記載のコネクタ組立体１Ａにおいては、基端部１１６ａに当接部１１９が設けられておらず、基端部１１６ａがアーム部１１３に当接してアーム部１１３及び突出部１２２を直接押圧している点で、本実施形態に係るコネクタ組立体１と相違する。コネクタ組立体１Ａにおいては、グランドコンタクト導体１１０の本体部１１１がリセプタクルコネクタと嵌合して本体部１１１が拡径する際に、本体部１１１から延びる一対のアーム部１１３も突出部１２２から離れるように変形する。具体的には、アーム部１１３は、固定部１１６（基端部１１６ａ）の略全体と当接している。そのため、アーム部１１３のうち固定部１１６よりもグランドコンタクト導体１１０の本体部１１１寄りの部分が、図１２に示される位置Ｐ０を支点にして、突出部１２２から離れるように屈曲する（図１２の二点鎖線参照）。コネクタ組立体１Ａにおいては、固定部１１６による固定強度を確保するために、固定部１１６がある程度の幅を要する。そのため、位置Ｐ０は比較的、本体部１１１寄りに位置する。従って、アーム部１１３のうち変形可能な部分が比較的短くなるので、本体部１１１が十分に拡径し難くなってしまう。
【００５３】
これに対し、本実施形態に係るプラグコネクタ１００では、固定部１１６（基端部１１６ａ）に突起１１９Ａが設けられており、突起１１９Ａがアーム部１１３に向けて突出している。固定部１１６によってアーム部１１３が締め付けられている状態（固定状態）で、突起１１９Ａはアーム部１１３に当接しており、突起１１９Ａの存在によりアーム部１１３と基端部１１６ａとは離間している。そのため、固定状態で、本体部１１１が拡径すると、アーム部１１３のうち突起１１９Ａよりもグランドコンタクト導体１１０の本体部１１１寄りの部分が、図７及び図１１に示される位置Ｐ１を支点にして屈曲する（図７の二点鎖線及び図１１参照）。また、本実施形態に係るプラグコネクタ１００では、突起１１９Ａは、一対のアーム部１１３が突出した方向において、固定部１１６の本体部１１１寄りの端縁から離れる側に位置している。そのため、コネクタ組立体１Ａと比較して、アーム部１１３のうち変形可能な部分が長くなる。従って、アーム部１１３が弾性体として機能しやすくなるので、固定部１１６（基端部１１６ａ）の幅を小さくしたり、プラグコネクタ１００のサイズを大きくしたりせずとも、リセプタクルコネクタに対する挿抜力が向上する。その結果、剛性の確保及び小型化を図りつつ、リセプタクルコネクタに対する挿抜力の向上を図ることが可能となる。
【００５４】
本実施形態に係るプラグコネクタ１００では、突起１１９Ａは、一対のアーム部１１３が突出した方向において、固定部１１６の中央から離れる側に位置しうる。この場合、アーム部１１３のうち変形可能な部分がより長くなる。そのため、アーム部１１３がより弾性体として機能しやすくなる。従って、リセプタクルコネクタに対する挿抜力のさらなる向上を図ることが可能となる。
【００５５】
本実施形態に係るプラグコネクタ１００では、絶縁ハウジング１２０の突出部１２２が一対のアーム部１１３の間に位置し且つ一対のアーム部１１３と当接している。すなわち、一対のアーム部１１３が突出部１２２によって裏打ちされた状態となる。そのため、一対の固定部１１６が突出部１２２と共に一対のアーム部１１３を締め付ける際に、固定部１１６と一対のアーム部１１３との間に位置する突起１１９Ａから、一対のアーム部１１３に対して、力がより効果的に作用する。従って、本体部１１１の拡径の際、一対のアーム部１１３が突起１１９Ａに対してずれ難くなるので、プラグコネクタ１００がリセプタクルコネクタに対して複数回挿抜された場合でも、十分な挿抜力を確保することが可能となる。
【００５６】
本実施形態に係るプラグコネクタ１００では、蓋部１１２に設けられた一対の固定部１１６は、一対のアーム部１１３のうち配線基板に面する端縁に至るまで巻き付いている。そのため、固定部１１６は、アーム部１１３を締め付ける機能に加えて、蓋部１１２をアーム部１１３に対して固定する機能を併有することができる。
【００５７】
［他の実施形態］
以上、本開示に係る実施形態について詳細に説明したが、本発明の要旨の範囲内で種々の変形を上記の実施形態に加えてもよい。例えば、他の電気コネクタ（例えば、リセプタクルコネクタ）に本発明を適用してもよい。
【００５８】
図１３に示されるように、当接部１１９は、固定部１１６（基端部１１６ａ）ではなく、アーム部１１３に設けられていてもよい。この場合、突起１１９Ａは、固定状態においてアーム部１１３から基端部１１６ａの内側面に向けて突出している。突起１１９Ａは、固定状態において、基端部１１６ａの内側面に当接する。そのため、アーム部１１３のうち突起１１９Ａ以外の領域は、通常、基端部１１６ａの内側面と離間している。窪み１１９Ｂは、アーム部１１３の内側面のうち突起１１９Ａと対応する位置で窪んでいる。
【符号の説明】
【００５９】
１…コネクタ組立体、１００…プラグコネクタ（電気コネクタ）、１１０…グランドコンタクト導体、１１１…本体部、１１２…蓋部、１１３…アーム部、１１６〜１１８…固定部、１１９…当接部、１１９Ａ…突起、１２０…絶縁ハウジング、１２１…絶縁本体部、１２２…突出部、１３０…信号コンタクト導体、２００…同軸ケーブル、２０１…内部導体、２０２…絶縁体、２０３…外部導体、ＳＬ…スリット。
【図１】
2018041650.tif 000003
【図２】
2018041650.tif 000004
【図３】
2018041650.tif 000005
【図４】
2018041650.tif 000006
【図５】
2018041650.tif 000007
【図６】
2018041650.tif 000008
【図７】
2018041650.tif 000009
【図８】
2018041650.tif 000010
【図９】
2018041650.tif 000011
【図１０】
2018041650.tif 000012
【図１１】
2018041650.tif 000013
【図１２】
2018041650.tif 000014
【図１３】
2018041650.tif 000015